【手続補正書】
【提出日】平成21年3月30日(2009.3.30)
【手続補正１】
【補正対象書類名】特許請求の範囲
【補正対象項目名】全文
【補正方法】変更
【補正の内容】
【特許請求の範囲】
【請求項１】
個体識別信号を発信する認証装置と前記認証装置からの個体識別信号を受信するコンピュータとを有し、
前記コンピュータは、当該コンピュータが移動されたことを検出するためのジャイロセンサーと、前記認証装置から発信された個体識別信号を受信し、その受信電波レベルが所定レベル以下を検出し、かつ、前記ジャイロセンサーがコンピュータの移動を検出することにより検出信号を発する無線受信・盗難判定部と、前記無線受信・盗難判定部が発する検出信号によりアラームを発するアラーム部とを備えたことを特徴とするコンピュータの盗難防止装置。
【手続補正２】
【補正対象書類名】明細書
【補正対象項目名】全文
【補正方法】変更
【補正の内容】
【発明の詳細な説明】
【発明の名称】コンピュータの盗難防止装置
【技術分野】
【０００１】
本発明は、盗難を防止するようにしたコンピュータの盗難防止装置に関するものである。
【背景技術】
【０００２】
無線技術を利用して、コンピュータと使用者が離れたことを検知して、コンピュータの使用を制限する装置が存在する。しかし、このような装置ではコンピュータの中にあるデータを一時的に保護することはできるが、コンピュータそのものの盗難を防ぐことはできない。もしコンピュータが盗難にあった場合には、完全にデータを保護することは困難である。
【０００３】
また、コンピュータの盗難を阻止するものとしては、盗難防止ケーブル等が利用されているが、可搬型のコンピュータについては可搬性メリットを損なうことになり、一般に使用されることは少ない。
また、特許文献１には、移動検出信号に基づいて主電源がオンした場合に警報を発するようにしたものが記載されている。
【特許文献１】特開２００５−２４２５８５号公報
【発明の開示】
【発明が解決しようとする課題】
【０００４】
可搬型のコンピュータのもつ、どこでもデータを扱えるというメリットを保ちつつ、コンピュータ内部のデータを保護する意味でコンピュータの盗難を防止する装置が求められている。
【０００５】
本発明は、使用者とコンピュータとが離れたときに、コンピュータの盗難を防止することができるようにした盗難防止装置付コンピュータを提供することを目的とする。
【課題を解決するための手段】
【０００６】
本発明は、個体識別信号を発信する認証装置と前記認証装置からの個体識別信号を受信するコンピュータとを有し、前記コンピュータは、当該コンピュータが移動されたことを検出するためのジャイロセンサーと、前記認証装置から発信された個体識別信号を受信し、その受信電波レベルが所定レベル以下を検出し、かつ、前記ジャイロセンサーがコンピュータの移動を検出することにより検出信号を発する無線受信・盗難判定部と、前記無線受信・盗難判定部が発する検出信号によりアラームを発するアラーム部とを備えたことを特徴とするコンピュータの盗難防止装置であり、認証装置とコンピュータが所定距離離れるとアラームを発することで盗難を抑止するという作用を有する。
【発明の効果】
【０００７】
以上のように本発明によれば、コンピュータの所有者が認証装置を所持することにより、そのコンピュータから所定距離離れるとアラームを発することで盗難を抑止することができ、コンピュータ内部に記録された個人情報などの重要情報が流出するのを防ぐことができるという効果が得られる。
【発明を実施するための最良の形態】
【０００８】
以下、本発明の実施の形態について、図１を用いて説明する。
【０００９】
（実施の形態１）
図１は本発明のコンピュータと認証装置の概略図である。
【００１０】
図１において、１は（携帯型または可搬型）コンピュータ、２はコンピュータ所有者が携帯する認証装置である。この認証装置において、１１は認証装置２から送信される個体識別信号、１２は個体識別信号１１を送出する無線送信部、１３は個体識別信号１１を送信するためのアンテナである。
【００１１】
コンピュータ１において、１４は認証装置２のアンテナ１３から送出される個体識別信号１１を受信するためのアンテナ、１５は認証装置２との距離を検出し、ジャイロセンサー１８（後述）によるコンピュータ移動検出に基づいてコンピュータ１の盗難を判定するための無線受信・盗難判定部、１６は認証装置２がコンピュータの近くにあることを示す移動検出信号、１７は検出信号１６がない場合にアラーム機能を動作するアラーム部である。１８はコンピュータ１が移動されたことを検出するための位置移動検出センサー（ジャイロセンサー）であり、加速度センサー、角度センサーなどを用いても良いし、コンピュータ１の底部に配置して机から離れたことを検出するフォトセンサーあるいは機構的なスイッチのようなものでも構わない。
【００１２】
以上のように構成された盗難防止装置付コンピュータについて、図１を用いてその動作を説明する。
【００１３】
まず、認証装置２に内蔵された無線送信部１２はアンテナ１３を使い、認証装置固有の個体識別信号１１を送信する無線通信技術を使って、一定のレベルで個体識別信号１１を送信し続ける。なお、送信し続ける方法としては、途切れなく常時送信する方法と、一定期間の無送出期間を持った間欠送信のどちらでも良い。また、送信に使用する電波としては、Ｂｌｕｅｔｏｏｔｈで使用される２．４ＧＨｚ帯や、特定小電力電波帯域のような４００ＭＨｚ帯など、どのような周波数の電波を使用しても良い。
【００１４】
次に、コンピュータに設けられたアンテナ１４は、個体識別信号１１を受信し、無線受信・盗難判定部１５に個体識別信号１１の電波レベルを知らせる。無線受信・盗難判定部１５は、個体識別信号１１の受信レベルによって、認証装置２がコンピュータ１の傍にあるのか、離れた場所にあるのかを検出し、近くにある場合にだけ移動検出信号１６を発生する。なお、コンピュータ１において、認証装置２が近い位置または遠くに移動したものと判断する個体識別信号１１の受信電波レベルのしきい値は、固定レベルであっても、コンピュータ２で設定可能であっても良い。
【００１５】
このようにして、認証装置２を所持するコンピュータ所有者がコンピュータ１を操作している、あるいはコンピュータ１からは離れてはいるが近くで作業している状態が個体識別信号１１の受信レベルによって監視される。
【００１６】
一方、ジャイロセンサー１８は置いてある机からコンピュータ１が移動されたかどうかを監視する。
【００１７】
以下、無線受信・盗難判定部１５からの移動検出信号１６に基づいたアラーム部１７のアラーム機能について説明する。
（１）ジャイロセンサー１８がコンピュータ１の移動を検出しない場合、アラーム部１７はアラーム機能を停止している。（コンピュータ１は机から動いていない）
（２）ジャイロセンサー１８がコンピュータ１の移動を検出し、且つコンピュータ１が正常な識別検出信号１１を受信している場合、アラーム部１７は機能を停止している。（コンピュータ１は机から動いたが認証装置２を所持するコンピュータ所有者は近くに居り、盗難ではない。または操作者が膝の上で操作している等）
（３）ジャイロセンサー１８がコンピュータ１の移動を検出し、且つコンピュータ１が識別検出信号１６を正常に受信できない場合、無線受信・盗難判定部１５はコンピュータ１が盗難にあったと判断してアラーム部１７への移動検出信号１６は出力が停止し、アラーム部１７はアラーム機能を発する。
【００１８】
図２は上記無線受信・盗難判定部１５がアラーム部１７に移動検出信号１６の出力を停止し、アラーム機能を発する条件をまとめた図である。なお、図中のブロック下に付した符号は役割を果たすブロックの符号を示す。
【００１９】
以上のように本実施の形態によれば、コンピュータの所有者がコンピュータから離れた時にコンピュータが盗難されたかどうかがアラーム機能により知ることができ、これは盗難を抑止する効果を有し、コンピュータ内部に搭載された個人情報などの重要情報が流出するのを防ぐことができるという優れた効果が得られる。
【００２０】
なお、認証装置は特別に設けた装置だけではなく、一般の携帯電話等に小規模な機能追加により容易に実現可能である。
【００２１】
また、認証装置が遠い場所にある場合は、認証装置の電源スイッチがオフされている場合も含む。
【００２２】
また、アラーム機能には音による警告音、コンピュータ内蔵のＬＥＤ、液晶表示のバックライトの点滅による光警告、認証装置を介してコンピュータの所有者に無線で知らせるなどの方法がある。
【００２３】
また、図１の説明ではアンテナ１４、無線受信・盗難判定部１５、アラーム部１７、ジャイロセンサー１８はコンピュータ１に内蔵されているものとして記載をしたが、ひとつのセットとしてまとめて可搬型（携帯型）コンピュータ、デスクトップ型コンピュータに設置するようにしても良いことは言うまでもない。この場合、悪意でセットをコンピュータから外されないよう機構的に強固に留めることが必要である。
【産業上の利用可能性】
【００２４】
本発明にかかるコンピュータの盗難防止装置は、認証装置とコンピュータとが離れた時にアラーム機能を発することで盗難を抑止する効果を有し、盗難を防止する装置を搭載したコンピュータとして有用である。
【図面の簡単な説明】
【００２５】
【図１】本発明の実施の形態によるコンピュータと認証装置の概略図
【図２】無線受信・盗難判定部によりアラーム部がアラーム機能を発する条件をまとめた図
【符号の説明】
【００２６】
１  コンピュータ
２  認証装置
１１  認証装置が持つ個体識別信号
１２  無線送信部
１３  個体識別信号を送信するためのアンテナ
１４  個体識別信号を受信するためのアンテナ
１５  無線受信・盗難判定部
１６  移動検出信号
１７  アラーム部
１８  ジャイロセンサー